(57)【要約】【課題】全開状態で１８０度回動する消火栓扉、あるいは垂直下方に落下する落下式の消火栓扉を備えた消火栓装置においても、ホース引出し時にホースがバラけて不要に引き出されるのを防止できる消火栓装置を提供する。【解決手段】本発明に係る消火栓装置１は、本体３内に設けられたホース収納部１７にホース１５を内巻きして収納すると共に、ホース引き出し時においては、前傾式扉７が９０度超回動又は鉛直下方に落下して開扉し、開扉した開口部５ａにおける下辺にホース１５が支持される消火栓装置１であって、ホース収納部１７の背面にホース滑り止め手段３５を講じたことを特徴とするものである。【選択図】  図１
2019063422.tif 000002
【特許請求の範囲】
【請求項１】
本体内に設けられたホース収納部にホースを内巻きして収納すると共に、ホース引き出し時においては、消火栓扉が９０度超回動又は鉛直下方に落下して開扉し、開扉した開口部における下辺にホースが支持される消火栓装置であって、
前記ホース収納部の背面にホース滑り止め手段を講じたことを特徴とする消火栓装置。
【請求項２】
前記ホース滑り止め手段は、前記ホース収納部の背面における底部から前記開口部の下辺に相当する高さまで設けられていることを特徴とする請求項１記載の消火栓装置。
【発明の詳細な説明】
【技術分野】
【０００１】
本発明は、トンネル等に設置される消火栓装置に関する。
【背景技術】
【０００２】
例えばトンネル内に設置される消火栓装置は、本体内にホース収納部を備え、該ホース収納部に内巻きされたホースが収納されている。ホースは、保形ゴム引布ホースという水が内部に入っていなくても、円筒形状を保持するホースが用いられる。
【０００３】
このような内巻きされたホースは、ホースの引出し時において、ホースがある程度引き出されてホース収納部内のホースが少なくなってくると、内巻きが崩れてホースが小さく巻かれた状態となって引き出されるようになる。このような状態になると、ホースがホース取出口から一気に外に押し出されて不要に引き出されてしまう（以下、このような状態を「ホースがバラける」という場合あり）という課題がある。
【０００４】
かかる課題を解決するため、特許文献１においては、内巻き状態の最外周のホースと接触する部位に摩擦部材を設けることが提案されている。
そして、摩擦部材を設ける部位として、特許文献１にはホース収納部を構成するホースバケットの左右の枠板内面及び筐体の底面のいずれかの箇所であると記載されている。
【先行技術文献】
【特許文献】
【０００５】
【特許文献１】特開２０１０−６３６５８号公報
【発明の概要】
【発明が解決しようとする課題】
【０００６】
特許文献１に開示された消火栓装置は、ホースを引き出すときに開放する消火栓扉が、全開状態で９０度前方に回動するものであり、全開したときに消火栓扉が水平な棚状になるタイプのものであり、消火栓扉の内面側に引き出し時にホースをガイドするホースガイドを設けている（特許文献１の図９、図１１等参照）。
そのため、引き出されるホースは、棚状の消火栓扉に支持され、かつホースガイドにガイドされて引き出されることになる。
特許文献１の消火栓装置は、消火栓扉がこのような形態であることを前提として、引き出し時にホースがバラけるのを防止する目的で、ホースバケットの左右の枠板内面及び筐体の底面のいずれかの箇所に摩擦部材を設けるとしている。
【０００７】
しかしながら、消火栓装置には、消火栓扉が１８０度回動して全開状態となる、あるいは鉛直下方に落下して全開状態となるような消火栓扉を備えたものがある。
このような形態の消火栓装置においては、消火活動を行う際のホース引き出し時においてホースは消火栓扉に支持されず、かつホースガイドにガイドされることもない。そのため、引き出し時において、図８に示すように、本体４１のホース収納部４３に収納されたホース４５は開口部４７の下辺部４９に支持された状態となる。このとき、ホース４５には充水されており、ホース４５は真っ直ぐになろうとするため、ホース収納部４３に巻かれたホース４５に対して矢印で示すような力が作用し、この力によってホース４５がずれてバラけてしまう。
【０００８】
このように本願発明が対象とする消火栓装置は、扉の構造が特許文献１に開示されたものとは異なり、それ故にホースがバラけるメカニズムが異なるため、特許文献１のように、消火栓扉にホースが支持され、またホースガイドでガイドされることを前提としたものでは、ホースバラけ防止を効果的に実現することができない。
【０００９】
本発明はかかる課題を解決するためになされたものであり、全開状態で１８０度回動する消火栓扉、あるいは垂直下方に落下する落下式の消火栓扉を備えた消火栓装置においても、ホース引出し時にホースがバラけて不要に引き出されるのを防止できる消火栓装置を提供することを目的としている。
【課題を解決するための手段】
【００１０】
（１）本発明に係る消火栓装置は、本体内に設けられたホース収納部にホースを内巻きして収納すると共に、ホース引き出し時においては、消火栓扉が９０度超回動又は鉛直下方に落下して開扉し、開扉した開口部における下辺にホースが支持される消火栓装置であって、
前記ホース収納部の背面にホース滑り止め手段を講じたことを特徴とするものである。
【００１１】
（２）また、上記（１）に記載のものにおいて、前記ホース滑り止め手段は、前記ホース収納部の背面における底部から前記開口部の下辺に相当する高さまで設けられていることを特徴とするものである。
【発明の効果】
【００１２】
本発明においては、本体内に設けられたホース収納部にホースを内巻きして収納すると共に、ホース引き出し時においては、消火栓扉が９０度超回動又は鉛直下方に落下して開扉し、開扉した開口部における下辺にホースが支持される消火栓装置であって、
前記ホース収納部の背面にホース滑り止め手段を講じたことにより、ホース引出し時において、ホースが引き出し途中で前記開口部の下辺にホースが支持されるときにホースを背面側に押す力を利用して、ホースの滑り止めをすることで、ホースのバラけ防止を実現することができる。
【図面の簡単な説明】
【００１３】
【図１】本発明の一実施の形態に係る消火栓装置の閉扉状態の正面図である。
【図２】本発明の一実施の形態に係る消火栓装置の開扉状態の正面図である。
【図３】本発明の一実施の形態に係る消火栓装置に収容されるホースの内巻きを説明する説明図である。
【図４】本発明の一実施の形態に係る消火栓装置のおけるホース滑り止め手段を設ける位置を説明する説明図である。
【図５】本発明の一実施の形態に係る消火栓装置におけるホース引出し時の作用を説明する説明図である（その１）。
【図６】本発明の一実施の形態に係る消火栓装置におけるホース引出し時の作用を説明する説明図である（その２）。
【図７】本発明の一実施の形態に係る消火栓装置におけるホース引出し時の作用を説明する説明図である（その３）。
【図８】本発明が解決しようとする課題を説明する説明図である。
【発明を実施するための形態】
【００１４】
本実施の形態に係る消火栓装置１は、本体３内に設けられたホース収納部１７にホース１５を内巻きして収納すると共に、ホース引き出し時においては、消火栓扉としての前傾式扉７が９０度超回動して、開扉した開口部５ａの下辺にホース１５が支持されるものであって、ホース収納部１７の背面にホース滑り止め手段３５を講じたことを特徴とするものである。
まず、消火栓装置１の全体を図１、図２に基づいて概説し、その後で本発明の特徴であるホース滑り止め手段３５について説明する。
【００１５】
＜消火栓装置の概説＞
本実施の形態に係る消火栓装置１は、図１、図２に示すように、箱状の本体３と、本体３の前面に設けられた開口部５ａを有する前面パネル５と、前面パネル５の開口部５ａに開閉可能に設けられた前傾式扉７と、本体３の外部に設けられた消火栓弁（図示なし）をケーブル９を介して開閉操作する操作レバー１１と、前傾式扉７の下辺の回動軸が通る位置に設けられてケーブル９を収納するケーブル収納筒１３とを備えている。
以下、各構成を説明する。
【００１６】
＜本体＞
本体３は、図１、図２に示すように、矩形の箱状からなり、本体３内には内巻きに巻き回されたホース１５を収納するホース収納部１７及びホース収納部１７に収納されたホース１５を引き出すための中央開口部１９が設けられている。
また、本体３内には、ホース収納部１７の右側に、メンテナンス弁、消火栓弁や自動調圧弁を有する配管系統２１が設けられている。配管系統２１は、先端側がホース１５の基端側と接続されるとともに、基端側が図示しない給水源に接続されている。なお、消火栓弁や自動調圧弁は、本体３の外部で給水源から配管系統２１に至る給水管の途中に設けられていてもよい。
【００１７】
《ホース収納部》
ホース収納部１７は、本体３の内壁上面から内壁下面に至る２本の棒状体２３と、棒状体２３から本体３の内壁背面に至る略Ｌ字状に屈曲した２枚の帯板２５とを備えて構成されている。
そして、２本の棒状体２３の間に中央開口部１９が形成され、ここからホース１５が引き出される。
ホース収納部１７にはホース１５が内巻きした状態で収納されている。
【００１８】
内巻きとは、ホース収納部１７という枠の内側に、枠に対してホース１５を内側から押し付けるようにして巻いて行く巻き方である。内巻きについて、図３に基づいて説明する。
なお、図３において、図中の丸はホース１５を示し、丸内の数字は巻き順を示している。
内巻きは、図３に示すように、ホース１５は奥側から順に最外周を手前側に向かって巻いてゆき（丸数字の１〜６）、最も手前にくると、次に、最外周から一段内側に入って、手前から奥に向かって巻いてゆく（丸数字の７〜１２）。さらに、最も奥側まで到達すると、さらに内側に入って奥側から手前側に向かって巻いてゆく（丸数字の１３〜１８）・・、というのを繰り返す巻き方である。
【００１９】
また、本体３の図中左側には、図１、図２に示すように、消火器２６を収納するための消火器収納部２７が設けられている。
【００２０】
＜前面パネル＞
前面パネル５は、本体３の前面に設けられ、中央開口部１９の前方に位置する部位が開口しており、この開口部５ａを開閉可能に前傾式扉７が取り付けられ、また前面パネル５の左側には消火器扉２９が開閉可能に設けられている。
【００２１】
＜前傾式扉＞
前傾式扉７は板状の金属板から構成された横長の矩形状をしており、上述のように前面パネル５の開口部５ａを開閉可能に取り付けられている。
前傾式扉７は、閉鎖状態において下辺（以下、この部分を前傾式扉７の下辺と呼ぶ）両端付近に回動軸（蝶番３０）が設けられ、開口部５ａを閉鎖状態から、図２に示すように、略１８０°開くことができる。
【００２２】
前傾式扉７の内面側には、消火ノズル３１を着脱可能に固定するノズル固定部３３及び、ホース１５に消火水を供給する配管系統２１に設けられた消火栓弁（図示なし）を開閉操作する操作レバー１１が設けられている。
操作レバー１１と図示しない消火栓弁との間は、ケーブル９を介して連結されている（図２参照）。
【００２３】
＜ケーブル収納筒＞
ケーブル収納筒１３は、前傾式扉７の下辺の両端部に設けられた蝶番３０の間に設けられて、操作レバー１１と消火栓弁を連結するケーブル９を収納するものである。
なお、ケーブル収納筒１３は少なくともケーブル９を収納するものであるが、ケーブル９の他に、例えば、操作レバー１１の開閉状態を検出するリミットスイッチの電線等を収納するようにしてもよい。
本実施の形態では、ケーブル収納筒１３が設けられていることで、開扉時における開口部５ａの下辺はケーブル収納筒１３となる。
【００２４】
＜ホース滑り止め手段＞
ホース滑り止め手段３５は、図４に示すように、ホース収納部１７の背面における底部から開口部５ａの下辺に相当する高さまで設けられている。もっとも、本発明のホース滑り止め手段としては、開口部５ａの下辺の高さを越えて設けてもよい。
ホース滑り止め手段３５としては、ホース１５が滑るのを防止できるものであれば適用可能であり、例えばゴム板や発泡シール材をホース収納部１７の背面に貼付すること、滑り止め塗料や、エポキシ系接着材をホース収納部１７の背面に塗布すること、あるいはホース収納部１７の背面の表面形状をトタン板のような波形や山が連続するような凹凸形状にすることが考えられる。
【００２５】
以上のように構成された本実施の形態に係る消火栓装置１のホース引出し時の作用効果について説明する。
ホース引出し時に前傾式扉７を開扉すると、図２に示すように、前傾式扉７は略１８０°回動する。そのため、この状態でホース１５を引き出し、必要な長さ分ホース１５を引き出したところでホース１５の引き出しを止めた場合、ホース１５は開口部５ａの下辺であるケーブル収納筒１３に支持された状態となる（図５参照）。
【００２６】
前述したように、ホース１５内は充水されておりホース１５は真っ直ぐになろうとするため、ケーブル収納筒１３を支点として、本体３内に残ったホース１５には背面側方向への力が働く（図８参照）。
このため、ホース収納部１７内のホース１５は、背面側に押され、例えば、図６に示すように、奥側から２番目のホース１５が引き出されているときには、そのホース１５が奥に押されて背面のホース滑り止め手段３５に押し付けられる。
【００２７】
このとき、ホース収納部１７の背面が滑り易い場合には、押し付けられたホース１５が滑って背面がから逃げるために、ホース１５が一気にバラけてしまう。
この点、本実施の形態では、ホース滑り止め手段３５を講じているので、ホース滑り止め手段３５に押し付けられたまま滑ることなくその位置に保持される。
これによって、ホース１５はバラけることなく巻き状態を保持することができる。なお、図６において、引き出されているホース１５は図中左側のものであるが、ホース１５は巻きの下辺で繋がっているので、図中右側のホース１５（丸数字の２１）も同時にホース滑り止め手段３５に押し付けられる。
【００２８】
なお、引き出されるホース１５よりも背面側にまだ引き出されていないホース１５が存在するような場合には、図７に示すように、引き出されるホース１５がその背面側のホース１５を背面側に押すため、押された最も背面側にあるホース１５がホース滑り止め手段３５に押されて、上記と同様の作用によって、ホース１５のバラけが防止される。
【００２９】
以上のように、本実施の形態では、ホース引出し時において、ホース１５が引き出し途中で支持されるときに作用する力を利用して、ホース１５とホース滑り止め手段３５との間に摩擦力を発生させてホース１５のバラけ防止を実現したものである。
このため、消火栓装置１を、例えばトンネル内の監視員通路の壁面のように比較的高い位置に設置したときに、ホース１５の引き出される角度がケーブル収納筒１３上で小さくなるため、上記のホース収納部１７の背面側への押し付け力が大きく作用し、摩擦力がより大きくなるので、より効果が高い。
【００３０】
なお、上記の説明では、消火栓扉が回動式のものを例に挙げたが、消火栓扉が鉛直方向に落下して開扉するいわゆる落下式のものであっても適用できる。この場合、扉が開放したときの扉の上辺部が開口部５ａの下辺となってホース１５を支持する支点となる。
また、ケーブル収納筒１３および蝶番３０について、ホース１５を引き出す際にホース１５が接触する部分（消火栓扉が落下式の場合は消火栓扉上端部）にもホース滑り止め手段３５を設けてもよい。ホース１５がバラける際には、ホース１５がこれらを支点にした状態からバラけるため、ここにホース滑り止め手段３５を設けることでホース１５のバラけがより防止される。
【００３１】
また、ホース１５の巻き方向によりホース収納部１７内の左側、右側はホース１５が縦方向に上から下、もしくは下から上に巻かれた状態となっている。例えば、ホース収納部１７内の左側でホース１５が上から下へ巻かれている場合（正面からみて反時計回りにホース１５が巻かれた状態）、ホース１５を開口部５ａよりも左側にホース１５を引っ張った場合には、ホース収納箱１７内でホース１５が小さな輪を形成してしまう。消火栓装置１を薄型とした場合、この輪を解消するスペースが小さいため、ホース１５を引き出す際の抵抗となってしまう。このスペースを稼ぐために、ホース１５が上から下へ巻かれている側だけ、ホース滑り止め手段３５を設けないようにしてもよい。特にホース滑り止め手段３５がゴム板や発泡シール材であった場合、材料の厚みがあるので、例えばホース１５を巻いた際の幅に相当する範囲（例えば、図３における丸数字２、１２、１４、２４を合計したホース１５の幅の範囲）にホース滑り止め手段３５を設けないことで、その範囲でホース収納箱１７内の奥行きを広くとることができ、ホース１５を引き出す際の抵抗を小さくすることができる。
【００３２】
また、近年検討されている監査路に消火栓装置を埋め込む場合において、監査路面側に設けられた開口からホースを引き出す場合に、最も道路側の辺（開放した扉の辺も含む）にホースがもたれて引き出されることで、本発明と同様の状態となる場合があり、そのような場合でも本願のようにホース収納部の背面にホース滑り止め手段を設けることで同様の効果を得ることができる。
【符号の説明】
【００３３】
１  消火栓装置
３  本体
５  前面パネル
５ａ  開口部
７  前傾式扉
９  ケーブル
１１  操作レバー
１３  ケーブル収納筒
１５  ホース
１７  ホース収納部
１９  中央開口部
２１  配管系統
２３  棒状体
２５  帯板
２６  消火器
２７  消火器収納部
２９  消火器扉
３０  蝶番
３１  消火ノズル
３３  ノズル固定部
３５  ホース滑り止め手段
４１  本体
４３  ホース収納部
４５  ホース
４７  開口部
４９  下辺部
【図１】
2019063422.tif 000003
【図２】
2019063422.tif 000004
【図３】
2019063422.tif 000005
【図４】
2019063422.tif 000006
【図５】
2019063422.tif 000007
【図６】
2019063422.tif 000008
【図７】
2019063422.tif 000009
【図８】
2019063422.tif 000010